(57)【要約】  【課題】  過電流リレー部と可動接点台をリード線でロー付け結合し一体化されているため、一体化するにも工数が長く、また可動フレームへの接点バネと可動接点台の挿入作業性が悪く、さらに過電流リレー部、可動接点台、可動フレームを一体化したものをケースへ組み込む際、一体化品が大がかりで組み込み作業困難という問題があった。  【解決手段】  電源側端子台、対向する接点、可動接点台、過電流リレー部、及び、負荷側端子台から構成される主回路を備え、可動接点台を回転させることにより回路接点を開閉・引き外しを行う開閉引き外し機構部、前記開閉・引き外しを外部より操作するための操作ハンドル、開閉・引き外し機構部を動作させる引き外し装置と、前記部品をモールドケース、カバー等に一体収納した回路遮断器において、前記可動接点台からのリード線の先端に接続ボックスを設け、該接続ボックスに前記過電流リレー部を圧入固定する。【選択図】  図２
2006049229.tif 000002
【特許請求の範囲】
【請求項１】
電源側端子台、対向する接点、可動接点台、過電流リレー部、及び、負荷側端子台から構成される主回路を備え、可動接点台を回転させることにより回路接点を開閉・引き外しを行う開閉引き外し機構部、前記開閉・引き外しを外部より操作するための操作ハンドル、開閉・引き外し機構部を動作させる引き外し装置と、前記部品をモールドケース、カバー等に一体収納した回路遮断器において、
前記可動接点台からのリード線の先端に接続ボックスを設け、該接続ボックスに前記過電流リレー部を圧入固定することを特徴とする回路遮断器。
【請求項２】
請求項１記載の回路遮断器において、
熱動式及び電磁式過電流リレー部の接続金具を同じ構造とし、前記接続ボックスに圧入固定できることを特徴とする回路遮断器。
【請求項３】
請求項１記載の回路遮断器において、
前記接続ボックスは、ばね又は板バネを納めた構造としたことを特徴とする回路遮断器。
【請求項４】
請求項１又は３記載の回路遮断器において、
過電流リレー部を単独に取付け可能にしたことを特徴とする回路遮断器。
【発明の詳細な説明】
【技術分野】
【０００１】
本発明は、リード線と過電流リレー部のロー付け接続方式を廃止し、過電流リレー部の単独取付けを可能にし、過電流リレー部の電磁式、熱動式の２種の方式を選択可能とし２種の過電流引き外し特性が選べる、組立性の良い、改造が容易な回路遮断器に関する。
【背景技術】
【０００２】
従来の回路遮断器の構造図を図７、図１０に示す。図７及び図１０において、主回路は、図中に示される電源側端子台１、固定接点２、可動接点３、可動接点台４、負荷側端子台５によって構成されており、可動接点台４は可動フレーム６に接点バネ７を介して保持されている。可動フレーム６は機構部８と連結し、回転することにより主回路の接点を開閉する構造になっている。過電流リレー部９は、機構部８と連動し、過電流リレー部が動作した場合、主回路を引き外すようになっている。過電流リレー部９が動作すると、その機械的出力は機構部８のラッチを引き外し、可動接点台４を動かし、主回路を直ちに開路させる。前記主回路要素及び主回路開閉要素は、モールド製のケース１０、カバー１１に一体収納され、回路遮断器を構成している。
【０００３】
図８に機構部８の内部構成を示す。図８において、機構部８はハンドル１２、固定フレーム１３、ハンドルレバー１４、フック１５、フック軸１６、レバー軸１７、レバー上１８、レバー下１９、トリップ金具２０、トリップ金具軸２１、トリップバネ２２、トリップレバー２３、トリップレバー軸２４、トリップレバーピン２５、駆動バネ２６により構成されている。ハンドル１２はハンドルレバー１４と結合されており、ハンドルレバー１４は固定フレーム１３の一点を中心に回転する。レバー下１９は可動接点台４と連結され、レバー下１９とレバー上１８はレバー軸１７で連結され、レバー軸１７とハンドルレバー１４が駆動バネ２６により連結され、このレバー軸１７を介してレバー上１８、レバー下１９、駆動バネ２６が連動する。フック１５はフック軸１６により固定フレーム１３に連結されており、このフック軸１６を中心に回転する。また、レバー上１８はフック上部曲げ部２７と連結されており、このフック上部曲げ部２７を中心に回転する。トリップ金具２０はトリップバネ２２と共にトリップ金具軸２１で固定フレーム１３に連結されており、トリップ金具２０はトリップ金具軸２１を中心に回転する。また、トリップ金具２０はトリップバネ２２により負荷側に回転する力が働く。トリップレバー２３はトリップレバーピン２５により固定フレーム１３に連結され、トリップレバーピン２５を中心に回転する。フック１５はレバー上１８を介して駆動バネ２６により上に持ち上げられる力が働き、フック軸１６を中心に電源側方向に回転しようとするが、フック１５先端がトリップ金具２０と係合されておりフック１５の回転を止めている。また、トリップ金具２０はトリップバネ２２によりフック１５との係合を外そうとするが、トリップ金具２０はトリップレバー２３により回転を止められている。また、トリップレバー２３は、トリップ金具２０からの力により釣り合っているが、トリップレバー２３のストッパ部に備えられたハンドル１２のＯＮ−ＯＦＦ操作時の衝撃を吸収する、緩衝チューブ２８を介して反時計回りの回転を止められている。
【０００４】
図９に過電流リレー部９の内部構成を示す。図９において、過電流リレー部９は、可動コア２９、ヨーク３０、可動コア戻しバネ３１、コイル３２、磁極片３３、シリンダ３４、負荷側端子台５により構成されている。可動コア２９はヨーク３０に連結され可動コア戻しバネ３１により反時計回りに回転させる力を与えている。ヨーク３０にはコイル３２、シリンダ３４が結合されており、シリンダ３４には磁極片３３が結合されている。またコイル３２の終端には負荷側接点台５が結合されており、反対側のコイル３２終端は可動接点台４とリード線３５‘にてロー付け結合されている。このコイル３２に過電流が流れた場合、磁力により可動コア２９が磁極片３３に吸引され可動コア戻しバネ３１の力に打ち勝って時計回りに回転する。可動コア２９の回転によりトリップレバー軸２４を押しトリップレバー２３を回転させる。この機構において、過電流リレー部９によりトリップレバー２３を回転させることにより、トリップレバー２３とトリップ金具２０のラッチが外れトリップ金具２０が時計回りに回転し、トリップ金具２０とフック１５のラッチが外れフック１５が回転し、それに伴い可動接点台４を動かし、主回路を開路させるものであった。
【０００５】
また、特開２０００−２９９０５１号公報（特許文献1）には、ユニットケースに熱動形引外し装置、電磁形引き外し装置及び固定接触子を一体に組み込み、固定接触子には過電流引き外し装置から引き出した接続端子が接合され、このユニットケースを本体ケースに結合することが記載されている。
【０００６】
【特許文献１】特開２０００−２９９０５１号公報
【発明の開示】
【発明が解決しようとする課題】
【０００７】
しかしながら、上記従来技術は、過電流リレー部９と可動接点台４をリード線３５でロー付け結合し一体化されているため、一体化するにも工数が長く、また可動フレーム６への接点バネ７と可動接点台４の挿入作業性が悪く、さらに過電流リレー部９、可動接点台４、可動フレーム６を一体化３６したものをケース１０へ組み込む際、一体化品３６が大がかりで組み込み作業困難という問題があった。
【０００８】
また、定格電流変更等の改造時には、一体化品３６をケース１０からすべて取り外し、部品をばらし再度一体化する必要があり、柔軟な改造が困難という問題があった。
【課題を解決するための手段】
【０００９】
上記問題は、リード線と過電流リレー部のロー付け接続方式を廃止し、過電流リレー部を単独に取付け可能とすることにより達成することができる。
【００１０】
本発明の目的は、リード線と過電流リレー部のロー付け接続方式を廃止し、過電流リレー部の単独取付けを可能にし、過電流リレー部の電磁式、熱動式の２種の方式に対応し、２種の過電流引き外し特性が選べ、組立性の良い、改造が容易な回路遮断器を提供することである。
【発明の効果】
【００１１】
本発明によれば、（１）回路遮断器の電磁式、熱動式の２種の方式に対応、（２）回路遮断器の２種の過電流引き外し特性が選べる、（３）回路遮断器のＤＣ等の少量生産機種にも即対応可能、（４）回路遮断器の組立性の向上、（５）回路遮断器の改造が容易、等の効果を得ることができる。
【発明を実施するための最良の形態】
【００１２】
以下に、本発明の実施の形態を説明する。
【実施例１】
【００１３】
本発明の一実施例を図を用いて説明する。図１に本発明の回路遮断器の構造断面図を示す。図１において、従来と同じものは図７と同じ番号を付している。
【００１４】
本発明は、リード線３５の先端に接続ボックス３８を設け、この接続ボックスに過電流リレー部を取り付け可能としたことである。
【００１５】
図１において、主回路は電源側端子台１、固定接点２、それに対向する可動接点３、可動接点台４、負荷側端子台５によって構成されており、可動接点台４は可動フレーム６に接点バネ７を介して保持されている。可動フレーム６は機構部８と連結し、回転することにより主回路の接点を開閉する構造になっている。
【００１６】
過電流リレー部９は、機構部８と連動し、過電流リレー部９が動作した場合、主回路を引き外すようになっている。過電流リレー部９が動作すると、その機械的出力は機構部８のラッチを引き外し、可動接点台４を動かし、主回路を直ちに開路させる。主回路要素及び主回路開閉要素は、モールド製のケース１０、カバー１１に一体収納され、回路遮断器を構成している。
【００１７】
次に本発明の回路遮断器の過電流リレー部の部分拡大斜視図を図２に示す。
図２の本発明の過電流リレー部９は、コイル３２の終端に負荷側接点台５が結合されており、反射側のコイル３２の終端には接続金具３７が取り付けてある。
【００１８】
また、可動接点台４に繋がれたリード線３５の終端には接続ボックス３８が取り付けられ、接続ボックス３８の中にはばね３９及び押え板４０が納められている。この接続ボックス３８の壁と押え板４０の間に過電流リレー部９の接続金具３９を上方より圧入してばね３９の弾性力で設置し、抜けないようにする構造となっている。
【００１９】
また、接続ボックス３８の側面には位置決め突起４１があり、ケース１０に凹部を設けることにより精度良く位置決めすることができる。
さらに、９は電磁式過電流リレー部についてであるが、熱動式過電流リレー部９‘にも接続金具３７を取り付けることにより、２種類の過電流リレー部に対応可能となる。
【００２０】
また、接続ボックス３８のばね３９及び押え板４０の代わりに図３に示すような板バネ４２を用いても良い。そしてリード線３５を接続ボックス３８に接続しなくても直接板バネ２に結合しても良い。
【００２１】
さらに、図４に示すように、押え板４０を２枚以上に増やすことにより、接続ボックス３８と過電流リレー部の接続金具３７の接触安定性が得られる。このように押え板を増やすことも効果的である。
【実施例２】
【００２２】
次に本発明の第２の実施例について図５を用いて説明する。
【００２３】
図５は、可動フレーム６に接続フレーム４４を接続ピン４３で結合し、接続フレーム４４に接続ボックス３８を取り付け、組み込み作業の容易化を図ることができる。そして図５には接続フレーム４４を１個しか図示していないが、３相であるので３個必要であり、２個は省略している。この接続フレーム４４の材質は、導電性金属でも非導電性の樹脂でも良い。導電性金属の場合は、本体ケースの樹脂で絶縁する。
【実施例３】
【００２４】
次に本発明の第３の実施例について図６を用いて説明する。
【００２５】
図６は、可動フレーム６に３相分を一体にした接続フレーム４５を設け、その中に接続ボックス３８、３８‘、３８“を納めた構造である。
【００２６】
この構造の絶縁フレームは、３相分を一体化しているため、本体ケース１０への組み込みが容易にできる効果があります。
【００２７】
また、図６の場合は、接続フレーム４５は絶縁が必要となるため絶縁性の樹脂を用いる。そして本体ケース１０もこの接続フレーム４５に対応した嵌合部を形成する。
【００２８】
接続ボックス内は、ばね３９又は板バネ４２を納めて過電流リレー部の接続金具３７を受け止める構造になっている。
【００２９】
上記したように、本発明は、リード線と過電流リレー部のロー付け接続方式を止め、過電流リレー部９の単独に取付けを可能にしたことで、電磁式９、熱動式９‘の２種の方式を選べることにより２種の過電流引き外し特性が選べ細かい顧客要求に対応可能となり、またＤＣ等の少量生産機種にも即対応可能となり、組立性が良く、改造が容易となる。
【図面の簡単な説明】
【００３０】
【図１】本発明の回路遮断器の断面図である。
【図２】本発明の一実施例である回路遮断器過電流リレー部の構造図である。
【図３】本発明の他の実施例である接続ボックス内の板バネの図である。
【図４】本発明の他の実施例である接続ボックス内のばねの図である。
【図５】本発明の他の実施例である回路遮断器の過電流リレー部の構造図である。
【図６】本発明の他の実施例である回路遮断器の過電流リレー部の構造図である。
【図７】従来の回路遮断器の断面図である。
【図８】従来の回路遮断器の機構部の構造図である。
【図９】従来の回路遮断器の過電流リレー部の構造図である。
【図１０】従来の回路遮断器の機構部の組込図である。
【符号の説明】
【００３１】
１・・・電源側端子台、２・・・固定接点、３・・・可動接点、４・・・可動接点台
５・・・負荷側端子台、６・・・可動フレーム、７・・・接点バネ
８・・・機構部、９・・・過電流リレー部、１０・・・ケース、１１・・・カバー
１２・・・ハンドル、１３・・・固定フレーム、１４・・・ハンドルレバー
１５・・・フック、１６・・・フック軸、１７・・・レバー軸、１８・・・レバー上
１９・・・レバー下、２０・・・トリップ金具、２１・・・トリップ金具軸
２２・・・トリップバネ、２３・・・トリップレバー、２４・・・トリップレバー軸
２５・・・トリップレバーピン、２６・・・駆動バネ、２７・・・フック上部曲げ部
２８・・・緩衝チューブ、２９・・・可動コア、３０・・・ヨーク
３１・・・可動コア戻しバネ、３２・・・コイル、３３・・・磁極片
３４・・・シリンダ、３５・・・リード線、３６・・・一体化品
３７・・・接続金具、３８・・・接続ボックス、３９・・・ばね、４０・・・押え板
４１・・・位置決め突起、４２・・・板ばね、４３・・・接続ピン
４４・・・接続フレーム
【図１】
2006049229.tif 000003
【図２】
2006049229.tif 000004
【図３】
2006049229.tif 000005
【図４】
2006049229.tif 000006
【図５】
2006049229.tif 000007
【図６】
2006049229.tif 000008
【図７】
2006049229.tif 000009
【図８】
2006049229.tif 000010
【図９】
2006049229.tif 000011
【図１０】
2006049229.tif 000012